【手続補正書】
【提出日】平成19年10月23日(2007.10.23)
【手続補正１】
【補正対象書類名】明細書
【補正対象項目名】特許請求の範囲
【補正方法】変更
【補正の内容】
【特許請求の範囲】    【請求項１】  直交周波数分割多重方式における複数の副搬送波を利用する同期バースト生成方法であって、  所定のシンボル列のうちの既定の１２のシンボルが非ゼロ振幅を有しており、所定のマッピング則に基づいて前記所定のシンボル列を前記複数の副搬送波にマッピングするステップと、  前記所定のシンボル列のシンボルがマッピングされた複数の副搬送波を逆高速フーリエ変換することによって同期バーストを生成するステップと、を含み、  上記所定のシンボル列は、Ａを複素数とすると、  Ａ  −Ａ  Ａ  −Ａ  −Ａ  Ａ  −Ａ−Ａ  Ａ  Ａ  Ａ  Ａ  と表されることを特徴とする、同期バースト生成方法。    【請求項２】  直交周波数分割多重方式における複数の副搬送波を利用する同期バースト生成方法であって、  前記複数の副搬送波のうちの既定の副搬送波の各々に対応する少なくとも１２のシンボルを含む所定のシンボル列を生成するステップと；  前記複数の副搬送波のうちの既定の副搬送波を逆高速フーリエ変換することによって時間領域の同期バーストを生成するステップと；を含み、  前記１２のシンボルは複素数の非ゼロ振幅に設定され、他のシンボルはゼロに設定され、周波数領域において前記１２のシンボルの少なくとも一部は前記所定のシンボル列中に周期的に配され、  前記所定のシンボル列に含まれる前記１２のシンボルは、Ａを複素数とすると、  Ａ  −Ａ  Ａ  −Ａ  −Ａ  Ａ  −Ａ−Ａ  Ａ  Ａ  Ａ  Ａ  と表されることを特徴とする、同期バースト生成方法。    【請求項３】  直交周波数分割多重方式における複数の副搬送波を利用する同期バースト生成方法であって、  各々が非ゼロ振幅に設定される１２のシンボルと、各々がゼロに設定される複数の他のシンボルを含み、前記シンボルの各々が前記複数の副搬送波のうちの所定の副搬送波にマッピングされる所定のシンボル列を入力するステップと、  前記所定のシンボル列がマッピングされた前記複数の副搬送波を逆高速フーリエ変換することによって時間領域の同期バーストを生成するステップと、を含み、前記所定のシンボル列に含まれる前記１２のシンボルは、Ａを複素数とすると、  Ａ  −Ａ  Ａ  −Ａ  −Ａ  Ａ  −Ａ−Ａ  Ａ  Ａ  Ａ  Ａ  と表されることを特徴とする、同期バースト生成方法。    【請求項４】  直交周波数分割多重方式における直交周波数分割多重信号の送信方法であって、  非ゼロ振幅に設定されており、Ａを複素数とすると、  Ａ  −Ａ  Ａ  −Ａ  −Ａ  Ａ  −Ａ−Ａ  Ａ  Ａ  Ａ  Ａと表される１２のシンボルと、ゼロに設定されている他のシンボルを含む所定のシンボル列がマッピングされた複数の副搬送波を入力するステップと、  前記複数の副搬送波を逆高速フーリエ変換することによって時間領域の同期バーストを生成するステップと、  前記同期バーストおよび前記直交周波数分割多重信号を送信するステップと、を含むことを特徴とする、直交周波数分割多重信号の送信方法。    【請求項５】  直交周波数分割多重方式における直交周波数分割多重信号の送信方法であって、  所定のシンボル列がマッピングされた複数の副搬送波を入力するステップと；  前記複数の副搬送波を逆高速フーリエ変換することによって時間領域の同期バーストを生成するステップと、  前記同期バース��および前記直交周波数分割多重信号を送信するステップと、を含み、  前記所定のシンボル列は複素振幅を有する１２のシンボルを含み、前記所定のシンボル列に含まれる前記１２のシンボルは、  Ａ  −Ａ  Ａ  −Ａ  −Ａ  Ａ  −Ａ−Ａ  Ａ  Ａ  Ａ  Ａ  と表され、  前記１２のシンボルは、前記所定のシンボル列において、前記複数の副搬送波のうちの４つおきの副搬送波が非ゼロ振幅を有するように配されることを特徴とする、直交周波数分割多重信号の送信方法。    【請求項６】  直交周波数分割多重方式における直交周波数分割多重信号の送信方法であって、  所定のシンボル列が所定のマッピング則に基づいてマッピングされた複数の副搬送波を逆高速フーリエ変換することによって時間領域の同期バーストを生成するステップと、  前記同期バーストおよび前記直交周波数分割多重信号を送信するステップと、を含み、  前記所定のシンボル列は複素数で表現される下記の１２のシンボルを含み、  Ａ  −Ａ  Ａ  −Ａ  −Ａ  Ａ  −Ａ−Ａ  Ａ  Ａ  Ａ  Ａ  前記１２のシンボルの少なくとも一部は、前記複数の副搬送波のうちの４つおきの副搬送波にマッピングされることを特徴とする、直交周波数分割多重信号の送信方法。    【請求項７】  直交周波数分割多重方式における複数の副搬送波を利用する同期バースト生成装置であって、  １２の非ゼロ振幅を有する既定の１２のシンボルを含む所定のシンボル列に含まれるシンボルを、所定のマッピング則に基づいて複数の副搬送波にマッピングするマッピング部と、  前記所定のシンボル列のシンボルがマッピングされた前記複数の副搬送波を逆高速フーリエ変換することによって同期バーストを生成する逆高速フーリエ変換部と、を備え、  前記所定のシンボル列のシンボルは、Ａを複素数とすると、  Ａ  −Ａ  Ａ  −Ａ  −Ａ  Ａ  −Ａ−Ａ  Ａ  Ａ  Ａ  Ａ  と表されることを特徴とする、同期バースト生成装置。    【請求項８】  直交周波数分割多重方式における複数の副搬送波を利用する同期バースト生成装置であって、  前記複数の副搬送波のうちの既定の副搬送波の各々に対応する少なくとも１２のシンボルを含む所定のシンボル列を生成する生成部と、  前記複数の副搬送波のうちの既定の副搬送波を逆高速フーリエ変換することによって時間領域の同期バーストを生成する逆高速フーリエ変換部と、を備え、  前記１２のシンボルは複素数の非ゼロ振幅に設定され、他のシンボルはゼロに設定され、周波数領域において前記１２のシンボルの少なくとも一部は前記所定のシンボル列中に周期的に配され、  前記所定のシンボル列に含まれる前記１２のシンボルは、Ａを複素数とすると、  Ａ  −Ａ  Ａ  −Ａ  −Ａ  Ａ  −Ａ−Ａ  Ａ  Ａ  Ａ  Ａ  と表されることを特徴とする、同期バースト生成装置。    【請求項９】  直交周波数分割多重方式における複数の副搬送波を利用する同期バースト生成装置であって、  各々が非ゼロ振幅に設定される１２のシンボルと、各々がゼロに設定される複数の他のシンボルを含み、前記シンボルの各々が前記複数の副搬送波のうちの所定の副搬送波にマッピングされる所定のシンボル列を生成する生成部と、  前記所定のシンボル列がマッピングされた前記複数の副搬送波を逆高速フーリエ変換することによって時間領域の同期バースト���生成する逆高速フーリエ変換部と、を備え、前記所定のシンボル列に含まれる前記１２のシンボルは、Ａを複素数とすると、  Ａ  −Ａ  Ａ  −Ａ  −Ａ  Ａ  −Ａ−Ａ  Ａ  Ａ  Ａ  Ａ  と表されることを特徴とする、同期バースト生成装置。    【請求項１０】  直交周波数分割多重方式における直交周波数分割多重信号の送信装置であって、  非ゼロ振幅に設定されており、Ａを複素数とすると、  Ａ  −Ａ  Ａ  −Ａ  −Ａ  Ａ  −Ａ−Ａ  Ａ  Ａ  Ａ  Ａと表される１２のシンボルと、ゼロに設定されている他のシンボルを含む所定のシンボル列がマッピングされた複数の副搬送波を入力する入力部と、  前記複数の副搬送波を逆高速フーリエ変換することによって時間領域の同期バーストを生成する逆高速フーリエ変換部と、  前記同期バーストおよび前記直交周波数分割多重信号を送信する送信部と、を備えることを特徴とする、直交周波数分割多重信号の送信装置。    【請求項１１】  直交周波数分割多重方式における直交周波数分割多重信号の送信装置であって、  所定のシンボル列がマッピングされた複数の副搬送波を入力する入力部と；  前記複数の副搬送波を逆高速フーリエ変換することによって時間領域の同期バーストを生成する逆高速フーリエ変換部と、  前記同期バーストおよび前記直交周波数分割多重信号を送信する送信部と、を含み、  前記所定のシンボル列は複素振幅を有する１２のシンボルを含み、前記所定のシンボル列に含まれる前記１２のシンボルは、  Ａ  −Ａ  Ａ  −Ａ  −Ａ  Ａ  −Ａ−Ａ  Ａ  Ａ  Ａ  Ａ  と表され、  前記１２のシンボルの少なくとも一部は、前記所定のシンボル列において、前記複数の副搬送波のうちの４つおきの副搬送波が非ゼロ振幅を有するように配されることを特徴とする、直交周波数分割多重信号の送信装置。    【請求項１２】  直交周波数分割多重方式における直交周波数分割多重信号の送信装置であって、  所定のシンボル列が所定のマッピング則に基づいてマッピングされた複数の副搬送波を逆高速フーリエ変換することによって時間領域の同期バーストを生成する逆高速フーリエ変換部と、  前記同期バーストおよび前記直交周波数分割多重信号を送信する送信部と、を備え、  前記所定のシンボル列は複素数で表現される下記の１２のシンボルを含み、  Ａ  −Ａ  Ａ  −Ａ  −Ａ  Ａ  −Ａ−Ａ  Ａ  Ａ  Ａ  Ａ  前記１２のシンボルの少なくとも一部は、前記複数の副搬送波のうちの４つおきの副搬送波にマッピングされることを特徴とする、直交周波数分割多重信号の送信装置。【手続補正２】
【補正対象書類名】明細書
【補正対象項目名】０００７
【補正方法】変更
【補正の内容】
【０００７】  Ｓ-24,24 ＝√２＊(1＋j,0,0,0,1＋j,0,0,0,-1−j,0,0,0,-1−j,0,0,0,1−j,0,0,0,-1−j,0,0,0,0,0,0,0,1＋j,0,0,0,1＋j,0,0,0,-1−j,0,0,0,1＋j,0,0,0,-1＋j,0,0,0,1＋j)  √２の乗算は、得られるＯＦＤＭシンボルの平均電力を正規化するためのものである。【手続補正３】
【補正対象書類名】明細書
【補正対象項目名】００４７
【補正方法】変更
【補正の内容】
【００４７】    【表２】2000209183.tif 000001
【手続補正４】
【補正対象書類名】明細書
【補正対象項目名】００５８
【補正方法】変更
【補正の内容】
【００５８】  ここで、  Ａ＝exp(ｊ２πψA )  Ｂ＝Ａ＊exp(ｊπ／２)  ＝exp(ｊ２πψA ＋ｊπ／２)  ０．０≦ψA ＜１．０図７ａ，図７ｂ，図７ｃに示すように、例えばシンボル列Ｓalt１を用いることにより、ＰＡＰＲはより小さく２．２４ｄＢとなるとともに、ダイナミックレンジは７．０１ｄＢに制限される。